(57)【要約】【課題】使用前の準備などにほとんど手間がかからず、大気中に浮遊する前記微細粒子状物質等の吸入を効果的に防止すると共にこれらの低害化、無害化をも図ることのできるマスクを提供する。【解決手段】マスク１Ａにおいて、使用者の口及び鼻を覆うマスク本体２Ａは、装着状態において最も外側に位置する外側層２１と、外側層２１の内側に外側層２１に隣接して配置された保液層２３と、保液層２３の内側に保液層２３に隣接して配置されたフィルタ層２４と、フィルタ層２４よりも内側に配置された内側層２２とを含む。外側層２１は、その外側面２１ａに向かって噴霧又はスプレーされた除菌消臭液を通過させる少なくとも一つの開口部２１１を有し、保液層２３は、外側層２１の開口部２１１を通過した前記除菌消臭液を吸収して保持し、前記フィルタ２４は、微細粒子状物質の通過を阻止又は抑制する。【選択図】図１
2016016285.tif 000002
【特許請求の範囲】
【請求項１】
使用者の口及び鼻を覆うマスク本体を有するマスクであって、
前記マスク本体は、装着状態において最も外側に位置する外側層と、前記外側層の内側に当該外側層に隣接して配置された保液層と、前記保液層の内側に当該保液層に隣接して配置されたフィルタ層と、前記フィルタ層よりも内側に配置された内側層と、を含み、
前記外側層は、その外側面に向かって噴霧又はスプレーされた除菌消臭液を通過させる少なくとも一つの開口部を有し、前記保液層は、前記外側層の前記開口部を通過した前記除菌消臭液を吸収して保持し、前記フィルタ層は、微細粒子状物質の通過を阻止又は抑制する、マスク。
【請求項２】
前記マスク本体は、前記内側層と前記フィルタ層との間に配置された脱臭層を更に含む、請求項１に記載のマスク。
【請求項３】
前記外側層は、メッシュ構造を有する、請求項１又は２に記載のマスク。
【請求項４】
前記外側層の開口面積比が４０％以上である、請求項１〜３のいずれか一つに記載のマスク。
【請求項５】
前記内側層は、その内側面に向かって噴霧又はスプレーされた前記除菌消臭液を通過させる少なくとも一つの開口部を有する、請求項１〜４のいずれか一つの記載のマスク。
【請求項６】
前記マスク本体は、前記内側層と前記フィルタ層との間に配置された第２の保液層をさらに含み、
前記第２の保液層は、前記内側層の前記開口部を通過した前記除菌消臭液を吸収して保持する、請求項５に記載のマスク
【請求項７】
前記内側層は、メッシュ構造を有する、請求項５又は６に記載のマスク。
【請求項８】
前記内側層の開口面積比が４０％以上である、請求項５〜７のいずれか一つに記載のマスク。
【請求項９】
前記除菌消臭液は、次亜塩素酸を含む弱アルカリ性の除菌消臭液である、請求項１〜８のいずれか一つに記載のマスク。
【発明の詳細な説明】
【技術分野】
【０００１】
本発明は、使用者（装着者）の鼻及び口を覆うマスクに関し、特に、大気中に浮遊する細菌、ウイルス、花粉、及び微細粒子状物質など（以下、単に「微細粒子状物質等」という）の吸入を防止するマスクに関する。
【背景技術】
【０００２】
この種のマスクの一例として、特許文献１には、鼻孔や口を覆うマスク本体に、マスク使用時に液体状で、且つ沸点が１２０℃以上である液体を塗布又は含浸させた吸着層を設けてなるマスクが記載されている。また、特許文献１に記載のマスクでは、前記液体に殺菌剤、抗菌剤、及び抗ウイルス剤の少なくとも一つを含有させたり、前記マスク本体に脱臭層をさらに設けたりしている。
【先行技術文献】
【特許文献】
【０００３】
【特許文献１】特開２００５−２１８６１３号公報
【発明の概要】
【発明が解決しようとする課題】
【０００４】
しかし、特許文献１に記載のマスクは、前記マスク本体に設けたポケットに液体を塗布又は含浸させた布やシートを装着して前記吸着層としたり、前記マスク本体の内層のガーゼに液体を塗布又は含浸させて前記吸着層としたりするものであり、マスク使用前の準備などに手間がかかる。
【０００５】
そこで、本発明は、使用前の準備などにほとんど手間がかからず、大気中に浮遊する前記微細粒子状物質等の吸入を効果的に防止すると共にこれらの低害化（無害化）をも図ることのできるマスクを提供することを目的とする。
【課題を解決するための手段】
【０００６】
本発明の一側面によると、使用者の口及び鼻を覆うマスク本体を有するマスクが提供される。前記マスクにおいて、前記マスク本体は、装着状態において最も外側に位置する外側層と、前記外側層の内側に当該外側層に隣接して配置された保液層と、前記保液層の内側に当該保液層に隣接して配置されたフィルタ層と、前記フィルタ層よりも内側に配置された内側層と、を含む。前記外側層は、その外側面に向かって噴霧又はスプレーされた除菌消臭液を通過させる少なくとも一つの開口部を有し、前記保液層は、前記外側層の前記開口部を通過した前記除菌消臭液を吸収して保持する。また、前記フィルタ層は、微細粒子状物質の通過を阻止又は抑制する。
【発明の効果】
【０００７】
前記マスクによれば、微細粒子状物質等（細菌、ウイルス、花粉、及び微細粒子状物質など）を前記保液層に吸着し及び／又は前記フィルタ層に捕集してその通過を阻止すると共に、これらの低害化（無害化）を図ることができる。また、前記マスクによれば、前記使用者が前記除菌消臭液を前記マスク本体の前記外側層の外面に向かって噴霧又はスプレーするという簡単な作業を行うだけで、装着前に前記マスクに除菌消臭機能を付与又は前記マスクの除菌消臭機能を向上させ、装着中に前記マスクの除菌消臭機能の維持又は回復を図ることができる。さらに、前記保液層は前記フィルタ層に隣接しているので、前記フィルタ層に捕集された微細粒子状物質等の無害化、低害化が効果的に行える。このため、前記マスクによれば、使用前の準備などにほとんど手間がかからず、大気中に浮遊する微細粒子状物質等の吸入を効果的に防止すると共にこれらの低害化（無害化）を図ることができ、また、マスク本体の消臭又は脱臭も図ることもできる。
【図面の簡単な説明】
【０００８】
【図１】本発明の第１実施形態によるマスクの斜視図である。
【図２】前記第１実施形態によるマスクのマスク本体の拡大断面図である。
【図３】本発明の第２実施形態によるマスクの斜視図である。
【図４】前記第２実施形態によるマスクのマスク本体の拡大断面図である。
【図５】本発明の第３実施形態によるマスクの斜視図である。
【図６】前記第３実施形態によるマスクのマスク本体の拡大断面図である。
【発明を実施するための形態】
【０００９】
以下、添付図面を参照して本発明の実施形態について説明する。
図１は、本発明によるマスクの第１実施形態を示している。図１に示すように、第１実施形態によるマスク１Ａは、使用者（装着者）の鼻及び口を覆うマスク本体２Ａと、マスク本体２Ａの両側縁部に設けられて使用者の耳に掛けられるゴム紐３，３と、を有する。
【００１０】
図２は、マスク本体２Ａの拡大断面図（図１のＡ−Ａ拡大断面図）である。図１，２に示すように、マスク本体２Ａは、装着時に最も外側（使用者（装着者）から最も離れた位置）に位置する外側層２１と、装着時に最も内側（最も使用者（装着者）側）に位置する内側層２２と、これら外側層２１と内側層２２との間に配置された保液層２３及びフィルタ層２４と、を有する。より具体的には、マスク本体２Ａは、装着状態における外側から外側層２１、保液層２３、フィルタ層２４、内側層２２の順に積層された四層構造を有している。本実施形態において、各層２１〜２４は、シート状部材で構成されており、各層２１〜２４を構成するシート状部材の周縁部が縫製、接着、又は溶着され一体化されてマスク本体２Ａを構成している。
【００１１】
外側層２１は、例えば樹脂製のメッシュ・シート（メッシュ構造の通気性不織布を含む）で構成されており、複数の開口部２１１を有する。各開口部２１１は、外側層２１の外側面（露出面）２１ａに向かって噴霧又はスプレーされた液体（液滴）が通過可能な面積を有している。具体的には、各開口部２１１は、数平方ミリメートル〜数平方センチメートル程度の面積を有している。本実施形態においては、各開口部２１１が四角形になっているが、各開口部２１１の形状は、特に制限されず、円形や四角形以外の多角形など種々の形状を採用し得る。また、外側層２１の開口面積比、すなわち、外側層２１又はその有効面積に対する開口部２１１の総面積の比率は、４０％以上、好ましくは５０％以上に設定されている。これにより、外側層２１の外側面２１ａに向かって噴霧又はスプレーされた液体（液滴）の多くが、外側層２１を通過することが可能となる。ここで、外側層２１の前記有効面積とは、外側層２１の実質的にマスクとして機能しない周縁部を除いた領域の面積のことである。なお、本実施形態においては、後述するように、所定の除菌消臭液が外側層２１の外側面２１ａに向かって噴霧又はスプレーされる。
【００１２】
内側層２２は、外側層２１と同様、例えば樹脂製のメッシュ・シート（メッシュ構造の通気性不織布を含む）で構成され、複数の開口部２２１を有している。各開口部２２１は、外側層２１の開口部２１１と同様、内側層２２の内側面（露出面）２２ａに向かって噴霧又はスプレーされた液体（液滴）が通過可能な面積を有している。また、各開口部２２１の形状は、四角形に限るものではなく、円形や四角形以外の多角形など種々の形状を採用し得る。もちろん、外側層２１と内側層２２とを同一のメッシュ・シートで構成してもよい。
【００１３】
保液層２３は、液体を吸収して保持することのできる層であり、外側層２１の内側に外側層２１に隣接して配置されている。すなわち、外側層２１（の内側面）と保液層２３（の外側面）とは互いに接触している。本実施形態において、保液層２３は、吸湿性及び／又は吸水性を有する不織布、例えばスパンボンド不織布で構成されている。複数の同一又は異なる不織布を積層して保液層２３を構成してもよい。また、保液層２３は、液体を吸収して保持することができればよく、不織布以外の材質で保液層２３を構成することも可能である。なお、本実施形態において、保液層２３は、後述するように、外側層２１の外側面２１ａに向かって噴霧又はスプレーされて、外側層２１の開口部２２１を通過した前記除菌消臭液を吸収して保持する。
【００１４】
フィルタ層２４は、主にＰＭ２．５などの微細粒子状物質を捕集してその通過を阻止又は抑制する層であり、保液層２３の内側に保液層２３に隣接して配置されている。すなわち、保液層２３（の内側面）とフィルタ層２４（の外側面）とは互いに接触している。本実施形態において、フィルタ層２４は、微細繊維（例えば繊維径３μｍ以下）からなる不織布、例えばメルトブローン不織布で構成されている。複数の同一又は異なる不織布を積層してフィルタ層２４を構成してもよい。また、フィルタ層２４は、前記微細粒子状物質の通過を阻止又は抑制できればよく、不織布以外の材質でフィルタ層２４を構成することも可能である。より好ましくは、フィルタ層２４としてＰＦＥ９９％フィルタやＮ９５フィルタ又はこれらと同等品を用いる。
【００１５】
次に、以上のような構成を有するマスク１Ａの使用方法の一例を説明する。
まず、使用者は、マスク１Ａを装着する前に、所定の噴霧容器又はスプレー容器などを用いて、適量の除菌消臭液をマスク本体２Ａの外側層２１の外側面２１ａに向かって噴霧又はスプレーする。すると、噴霧又はスプレーされた前記除菌消臭液の液滴が、外側層２１の複数の開口部２１１を通過して保液層２３に到達し、保液層２３に吸収されて保持される。これにより、前記使用者は、装着前のマスク１Ａに対して除菌消臭機能を容易に付与し又はマスク１Ａの除菌消臭機能を向上させることができる。その後、前記使用者は、ゴム紐３，３を自身の両耳に掛けてマスク１Ａを自身の顔面に装着する。ここで、前記除菌消臭液は、人体に無害なものであればよく、特に制限されないが、液性が弱アルカリ性の次亜塩素酸系の除菌消臭液（例えば、ピーズガード（P’s GUARD））を使用するのが好ましい。
【００１６】
また、前記使用者は、前記噴霧容器又は前記スプレー容器を用いて、装着中のマスク１Ａのマスク本体２Ａの外側層２１の外側面２１ａに向かって、適宜、適量の前記除菌消臭液を噴霧又はスプレーする。装着中のマスク１Ａの保液層２３からは少なからず前記除菌消臭液が蒸発することになるが、前記使用者が前記除菌消臭液を装着中のマスク１Ａのマスク本体２Ａの外側層２１の外側面２１ａに向かって噴霧又はスプレーすることにより、前記除菌消臭液の蒸発分を補うことができる。これにより、マスク１Ａにおける前記除菌消臭機能が維持され又は回復される。もちろん、前記使用者は、装着中のマスク１Ａを一旦取り外して前記除菌消臭液を噴霧又はスプレーしてもよい。
【００１７】
そして、前記使用者は、マスク１Ａの使用後、前記噴霧容器又は前記スプレー容器を用いて、取り外したマスク１Ａのマスク本体２Ａの外側層２１の外側面２１ａ及び内側層２２の内側面２２ａのそれぞれに向かって適量の前記除菌消臭液を噴霧又はスプレーする。これにより、マスク１Ａを取り外した後に、マスク本体２Ａに付着している又は捕集されている前記微細粒子状物質等の拡散が抑制されると共に、使用済みマスク１Ａの低害化、無害化を図ることができる。このため、前記使用者は、使用後のマスク１Ａの廃棄処理等を安心、安全に行うことができ、また、取り外したマスク１Ａを安心して再使用（再装着）することも可能である。なお、マスク１Ａを再使用（再装着）する場合、前記使用者は、装着前に、前記除菌消臭液を、マスク本体２Ａの外側層２１の外側面２１ａ及び内側層２２の内側面２２ａのそれぞれに向かって再噴霧又は再スプレーするのが好ましい。
【００１８】
本実施形態によるマスク１は、装着状態において外側から外側層２１、保液層２３、フィルタ層２４、内側層２２の順に積層された四層構造のマスク本体２Ａを有する。保液層２３は、前記除菌消臭液を吸収して保持し、フィルタ層２４は、前記微細粒子状物質等を捕集してその通過を阻止する。このため、本実施形態によるマスク１によれば、前記微細粒子状物質等を保液層２３に吸着し及び／又はフィルタ層２４に捕集してその通過を阻止すると共にこれらを無害化、低害化することができ、また、マスク本体２Ａの消臭又は脱臭を図ることもできる。これにより、大気中に浮遊する前記微細粒子状物質等の吸入を効果的に防止することができると共に、装着時の臭い（匂い）による不快感を大幅に抑制できる。
【００１９】
ここで、外側層２１は、自身に向かって噴霧又はスプレーされた前記除菌消臭液を通過させる複数の開口部２１１を有しており、保液層２３は、外側層２１の複数の開口部２１１を通過した前記除菌液を吸収して保持する。このため、使用者は、例えば携帯型の噴霧容器又はスプレー容器を用いてマスク本体２Ａ（の外側層２１）に前記除菌消臭液を噴霧又はスプレーすることによって、装着前にマスク１Ａに除菌消臭機能を付加し又は向上させたり、装着中に除菌消臭機能の維持又は回復を図ったりすることを容易に行える。
【００２０】
また、フィルタ層２４は、保液層２３に接触しているので、保液層２３を通過してフィルタ層２４に捕集された前記微細微粒子状物質の無害化、低害化をより効果的に行うことができる。
【００２１】
さらに、複数の開口部２１１を有する外側層２１は、その開口面積比が４０％（好ましくは５０％）以上に設定されているので、外側層２１の外側面２１ａに向かって噴霧又はスプレーされた前記除菌消臭液を十分に通過させることができ、容易かつ短時間で上述したような前記除菌消臭機能の付加、向上、維持、及び／又は回復を図ることができる。
【００２２】
さらにまた、外側層２１及び内側層２２は、メッシュ構造を有しているので、前記除菌消臭液の通過を可能としつつ十分な強度を確保することが可能であり、保液層２３及びフィルタ層２４が安定かつ確実に保持される。
【００２３】
なお、上述の第１実施形態において、外側層２１及び内側層２２は、メッシュ・シートで構成され、噴霧又はスプレーされた前記除菌消臭液が通過可能な複数の開口部２１１，２２１を有している。しかし、これに限るものではない。外側層２１は、噴霧又はスプレーされた前記除菌消臭液が通過可能な少なくとも一つの開口部を有していればよい。例えば、外側層２１の前記周縁部を除く領域の大部分を占める（一つの）開口部を設けたり、外側層２１の前記周縁部を除く領域内に同一又は異なる形状の複数の開口部を設けるようにしたりしてもよい。これらの場合においても、外側層２１の開口面積比が４０％（好ましくは５０％）以上に設定されるのが好ましい。また、外側層２１及び／又は内側層２２が前記除菌消臭液の一部を吸収して保持してもよい。さらに、内側層２２は、必ずしも前記除菌消臭液を通過可能に構成させる必要はなく、保液層２３やフィルや層２４を保持するのに十分な強度を有する通気性不織布（例えば、スパンボンド不織布）などで構成してもよい。
【００２４】
次に、本発明によるマスクの第２実施形態について説明する。
なお、以下の説明において、第１実施形態によるマスク１Ａと共通する要素については同一の符号を用いて、その説明を省略する。
【００２５】
図３は、第２実施形態によるマスク１Ｂを示している。図３に示すように、第２実施形態によるマスク１Ｂも、第１実施形態によるマスク１Ａと同様、使用者（装着者）の鼻及び口を覆うマスク本体２Ｂと、マスク本体の両側縁部に設けられて使用者の耳にかけるゴム紐３，３と、を有する。
【００２６】
図４は、マスク本体２Ｂの拡大断面図（図３のＢ−Ｂ拡大断面図）である。図３，４に示すように、マスク本体２Ｂは、装着状態における外側から、外側層２１、保液層２３、フィルタ層２４、脱臭層２５、内側層２２の順に積層された五層構造を有している。つまり、マスク本体２Ｂは、第１実施形態によるマスク１Ａのマスク本体２Ａに対して、内側層２２とフィルタ層２４との間にさらに脱臭層２５が追加された構成を有している。この脱臭層２５は、通過する空気の脱臭を行うものであり、例えば活性炭を含有する不織布シート（活性炭不織布シート）で構成される。なお、第２実施形態によるマスク１Ｂの使用方法は、基本的に第１実施形態によるマスク１Ａの使用方法と同じである。また、外側層２１は、噴霧又はスプレーされた前記除菌消臭液が通過可能な少なくとも一つの開口部を有していればよい点、外側層２１及び／又は内側層２２が前記除菌消臭液の一部を吸収して保持してもよい点、及び、内側層２２は、必ずしも前記除菌消臭液を通過可能に構成させる必要はない点については、上述の第１実施形態と同様である。
【００２７】
第２実施形態によるマスク１Ｂは、第１実施形態によるマスク１Ａと同様の効果を有することに加えて、さらに次のような効果を有する。すなわち、マスク本体２Ｂは、内側層２２とフィルタ層２５との間に脱臭層２５を有しているので、大気中の臭いはもちろん、前記除菌消臭液が前記微細粒子状物質等を無害化、低害化する際に発生する臭い（反応臭）についても除去又は軽減されることとなり、使用時の不快感をより一層軽減することができる。
【００２８】
次に、本発明によるマスクの第３実施形態について説明する。
なお、以下の説明において、第１実施形態によるマスク１Ａと共通する要素については同一の符号を用いて、その説明を省略する。
【００２９】
図５は、第３実施形態によるマスク１Ｃを示している。図５に示すように、第３実施形態によるマスク１Ｃも、第１、第２実施形態によるマスク１Ａ、１Ｂと同様、使用者（装着者）の鼻及び口を覆うマスク本体２Ｃと、マスク本体の両側縁部に設けられて使用者の耳にかけるゴム紐３，３と、を有する。
【００３０】
図６は、マスク本体２Ｃの拡大断面図（図５のＣ−Ｃ拡大断面図）である。図５，６に示すように、マスク本体２Ｂは、装着状態における外側から、外側層２１、保液層２３、フィルタ層２４、保液層２３、内側層２２の順に積層された五層構造を有している。つまり、マスク本体２Ｃは、第１実施形態によるマスク１Ａのマスク本体２Ａに対して、内側層２２とフィルタ層２４との間にさらに保液層２３が追加された構成を有している。この追加された保液層２３が本発明の「第２の保液層」に相当する。本実施形態において、外側層２１と内側層２２とは同一のメッシュ・シートで構成され、内側層２２の開口面積比は、外側層２１の開口面積比と同様に、４０％以上、好ましくは５０％以上に設定されている。また、各層２１〜２４を構成するシート状部材の周縁部が縫製、接着、又は溶着され一体化されてマスク本体２Ｂを構成している。なお、以下では、説明の便宜上、外側層２１に隣接する保液層２３を「第１保液層２３Ａ」とし、内側層２２に隣接する保液層２３を「第２保液層２３Ｂ」とする。
【００３１】
次に、第３実施形態によるマスク１Ｃの使用方法の一例を説明する。
まず、使用者は、マスク１Ｃの装着前に、所定の噴霧容器又はスプレー容器を用いて、適量の除菌消臭液をマスク本体２Ｃの外側層２１の外側面２１ａ及び内側層２２の内側面２２ａのそれぞれに向かって噴霧又はスプレーする。すると、外側層２１の外側面２１ａに向かって噴霧又はスプレーされた前記除菌消臭液の液滴の多くが、外側層２１の複数の開口部２１１を通過して第１保液層２３Ａに到達し、第１保液層２３Ａに吸収されて保持される。同様に、内側層２２の内側面２２ａに向かって噴霧又はスプレーされた前記除菌消臭液の液滴の多くが、内側層２２の複数の開口部２２１を通過して第２保液層２３Ｂに到達し、第２保液層２３Ｂに吸収されて保持される。これにより、前記使用者は、装着前のマスク１Ｃに対して除菌消臭機能を容易に付与し又は除菌消臭機能を向上させることができる。その後、前記使用者は、ゴム紐３，３を自身の両耳に掛けてマスク１Ｃを自身の顔面に装着する。
【００３２】
また、前記使用者は、前記噴霧容器又は前記スプレー容器を用いて、装着中のマスク１Ｃのマスク本体２Ｃの外側層２１の外側面２１ａに向かって、適宜、適量の前記除菌消臭液を噴霧又はスプレーする。これにより、マスク１Ｃを取り外すことなく前記除菌消臭液の蒸発分を補うことができ、マスク１Ｃの除菌消臭機能が維持され又は回復される。もちろん、前記使用者は、マスク１Ｃを一旦取り外して、さらにマスク本体２Ｃの内側層２２の内側面２２ａに向かって前記除菌消臭液を噴霧又はスプレーしてもよい。
【００３３】
そして、前記使用者は、マスク１Ｃの使用後、前記噴霧容器又は前記スプレー容器を用いて、取り外したマスク１Ｃのマスク本体２Ｃの外側層２１の外側面２１ａ及び内側層２２の内側面２２ａのそれぞれに向かって適量の前記除菌消臭液を噴霧又はスプレーする。これにより、マスク本体２Ｃに付着している又は捕集されている前記微細粒子状物質等の拡散が抑制されると共に、使用済みマスク１Ｃの無害化、低害化を図ることができる。このため、使用後のマスク１Ｃの安心・安全な廃棄処理が可能であり、また、取り外したマスク１Ｃの前記使用者による安心な再使用（再装着）も可能である。なお、マスク１Ｃを再使用（再装着）する場合、前記使用者は、装着前に、前記除菌消臭液を、マスク本体２Ｃの外側層２１の外側面２１ａ及び内側層２２の内側面２２ａのそれぞれに向かって再噴霧又は再スプレーするのが好ましい。
【００３４】
第３実施形態によるマスク１Ｃは、第１実施形態によるマスク１Ａと同様の効果を有することに加えて、さらに以下のような効果を有する。
すなわち、第３実施形態によるマスク１Ｃのマスク本体２Ｃは、第１実施形態によるマスク１Ａのマスク本体２Ａに対して保液層２３が追加された構成を有しており、また、フィルタ層２４は、その両面が保液層２３（第１保液層２３Ａ、第２保液層２３Ｂ）に接触している。このため、マスク１Ｃによれば、第１実施形態によるマスク１Ａに比べて、除菌消臭機能が長く維持され、フィルタ層２４に捕集された微細微粒子状物質などの低害化、無害化をさらに効果的に図ることができる。
【００３５】
なお、上述の第３実施形態において、外側層２１及び内側層２２は、メッシュ・シートで構成され、噴霧又はスプレーされた前記除菌消臭液が通過可能な複数の開口部２１１，２２１を有している。しかし、これに限るものではない。外側層２１及び内側層２２は、噴霧又はスプレーされた前記除菌消臭液が通過可能な少なくとも一つの開口部を有していればよい。例えば、外側層２１及び／又は内側層２２の前記周縁部を除く領域の大部分を占める（一つの）開口部を設けたり、外側層２１及び／又は内側層２２の前記周縁部を除く領域内に同一又は異なる形状の複数の開口部を設けるようにしたりしてもよい。これらの場合においても、外側層２１の開口面積比及び内側層２２の開口面積比は、４０％（好ましくは５０％）以上に設定されるのが好ましい。
【００３６】
また、上述の第１〜第３実施形態によるマスク１Ａ，１Ｂ，１Ｃでは、マスク本体２Ａ，２Ｂ，２Ｃが平面的な平型マスクとしているが、これに限るものではなく、マスク本体２Ａ，２Ｂ，２Ｃにプリーツ構造を採用したプリーツ型マスクとしたり、マスク本体２Ａ，２Ｂ，２Ｃがカップ形状を有する立体型マスクとしたりしてもよい。さらに、マスク１Ａ，１Ｂ，１Ｃは、いずれも耳に掛けるタイプとしているが、これに限るものではなく、例えば頭に掛けるタイプとしてよい。
【００３７】
以上、本発明の好ましい実施形態及びその変形例について説明したが、本発明はこれらに限定されるものではなく、本発明の技術的思想に基づいて更なる変形や変更が可能であることはもちろんである。
【符号の説明】
【００３８】
１Ａ，１Ｂ，１Ｃ…マスク
２Ａ，２Ｂ，２Ｃ…マスク本体
３…ゴム紐
２１…外側層
２２…内側層
２３（２３Ａ，２３Ｂ）…保液層
２４…フィルタ層
２５…脱臭層
２１１，２２１…開口部
【図１】
2016016285.tif 000003
【図２】
2016016285.tif 000004
【図３】
2016016285.tif 000005
【図４】
2016016285.tif 000006
【図５】
2016016285.tif 000007
【図６】
2016016285.tif 000008